(57)【特許請求の範囲】
【請求項１】
本体部が周回形状に形成されて複数枚積層され前記本体部の外周縁の内側で周方向に沿って長尺に形成され周方向に所定間隔で前記本体部に複数配列した磁石保持用の開口部に、断面が前記本体部の周方向へ長尺のほぼ矩形の永久磁石を保持させたモータのロータ・コアに用いる磁性板であって、
前記本体部の外周縁と前記開口部との間の磁極部の径方向幅を、前記永久磁石の径方向断面幅よりも小さく設定し、
前記開口部の端部コーナに沿って鉤状をなし、径方向における最大幅が前記永久磁石の径方向断面幅よりも小さな幅となるように高硬度部が前記本体部に設けられ、
前記高硬度部は、前記本体部の前記高硬度部以外の一般部に対して相対的な高硬度に設定された、
ことを特徴とするモータのロータ・コアに用いる磁性板。
【請求項２】
請求項１記載のモータのロータ・コアに用いる磁性板であって、
前記高硬度部は、前記開口部の周方向端部で前記本体部の外周側に位置する周方向に沿った第１の縁及び第１の縁と連続する縁辺上であって前記永久磁石の周方向端縁側に位置する第２の縁と前記第１の縁に対応する前記本体部の外周縁側の第３の縁及び前記開口部相互間のブリッジ部の第４の縁又は前記開口部間とに渡る範囲に設定した、
ことを特徴とするモータのロータ・コアに用いる磁性板。
【請求項３】
請求項１又は２記載のモータのロータ・コアに用いる磁性板であって、
前記高硬度部は、前記本体部の周方向での範囲が前記永久磁石の端縁に沿って前記外周縁にまで至る境界までか該境界を超えて前記磁極部中央側に入り込んで設定された、
ことを特徴とするモータのロータ・コアに用いる磁性板。
【請求項４】
請求項１〜３の何れか１項記載のモータのロータ・コアに用いる磁性板であって、
前記高硬度部は、前記本体部の周方向での端縁が前記開口部側から前記本体部の外周縁に向かって前記磁極部中央側へ漸次入り込むように傾斜形成された、
ことを特徴とするモータのロータ・コアに用いる磁性板。
【請求項５】
請求項１〜４の何れか１項記載のモータのロータ・コアに用いる磁性板であって、
前記本体部の外周縁に、前記磁極部間へ漸次切り込まれるような形態の凹形状部を備えた、
ことを特徴とするモータのロータ・コアに用いる磁性板。
【請求項６】
請求項５記載のモータのロータ・コアに用いる磁性板であって、
前記高硬度部は、前記傾斜形成された端縁が前記凹形状部の漸次切り込まれるような形状の開始点で前記本体部の外周縁に至っている、
ことを特徴とするモータのロータ・コアに用いる磁性板。
【請求項７】
請求項１〜６の何れか１項記載のモータのロータ・コアに用いる磁性板であって、
前記高硬度部は、前記永久磁石の端縁に沿った方向及び前記開口部間での長さが前記永久磁石の径方向断面幅の１／２以上に設定され、
前記高硬度部は、前記本体部の周方向で前記開口部に沿った縁の部分で前記永久磁石とオーバーラップする長さが前記永久磁石の周方向断面長さの１／６以下から０の間に設定されている、
ことを特徴とするモータのロータ・コアに用いる磁性板。
【請求項８】
請求項１〜７の何れか１項記載のモータのロータ・コアに用いる磁性板であって、
前記高硬度部は、磁場４０００Ａ／ｍにおける磁束密度が前記本体部の一般部に対し０．４〜０．８倍である、
ことを特徴とするモータのロータ・コアに用いる磁性板。
【請求項９】
請求項１〜８の何れか１項記載のモータのロータ・コアに用いる磁性板であって、
前記本体部は、厚みが０．１〜０．５ｍｍである、
ことを特徴とするモータのロータ・コアに用いる磁性板。
【請求項１０】
請求項１〜９の何れか１項記載のモータのロータ・コアに用いる磁性板であって、
前記本体部は、複数の分割体を接合して環状に配置した、
ことを特徴とするモータのロータ・コアに用いる磁性板。
【請求項１１】
請求項１〜１０の何れか１項記載のモータのロータ・コアに用いる磁性板であって、
前記高硬度部は、前記本体部の一般部の板厚に対し圧縮率５〜２５％の範囲で減少した板厚を有する、
ことを特徴とするモータのロータ・コアに用いる磁性板。
【請求項１２】
請求項１〜１１の何れか１項記載のモータのロータ・コアに用いる磁性板の製造方法であって、
前記高硬度部は、前記本体部の輪郭を板材から形成する前に前記高硬度部となる予定箇所を圧縮加工して予め形成する、
ことを特徴とするモータのロータ・コアに用いる磁性板の製造方法。
【発明の詳細な説明】
【技術分野】
【０００１】
この発明は、モータのロータ・コアに用いる磁性板及びその製造方法に関する。
【背景技術】
【０００２】
近年、各種電気機器、電気自動車、ハイブリッド車、ロボットなどの新技術の進展に伴い、それらに用いられるモータや発電機に要求される性能が高度化してきている。たとえば、産業用モータ、電気自動車やハイブリッド車などにおいては、高トルク化、高出力化、小型化が求められている。【０００３】
その為に従来より、モータのロータとして、特許文献１に記載された図２０、図２１のようなものがある。図２０は、ロータの斜視図、図２１は、磁束分布の概念図である。【０００４】
このロータ１０１は、周回形状である円形形状の磁性板１０３が複数積層されたロータ・コア１０５の開口部１０７に永久磁石１０９（両図ともハッチング部は磁性板積層方向に延在する磁石の断面に当たる）が保持されたものである。このロータ１０１が、回転磁界を形成する図示しないステータの中に挿入され、供給電力によるステータ内の回転磁界と、永久磁石１０９によりロータコアの外周表面に発生する磁束が鎖交し、その反発吸引作用によりロータ１０１が回転する。【０００５】
かかるロータ１０１では、永久磁石１０９と磁性板１０３の外周縁１０３ａとの間に形成される磁極部１０３ｂの径方向幅をできるだけ小さくすると、磁束が鎖交するステータとの間の磁気抵抗が減少して回転力に有効な磁界が増加し、高トルク化或いはトルク一定とするなら小型化を可能とし、即ちモータ体積当たりのトルク（以下トルク密度）向上に有利となる。【０００６】
しかし、磁極部１０３ｂの径方向幅を小さくすると回転時の永久磁石１０９等の遠心力により開口部１０７の端部コーナ等の応力集中による塑性変形が起こり易く、いわゆる遠心強度が低下し、遠心力に耐え得る最大回転数が下がる結果、モータ体積当たりの出力（以下出力密度）の向上が制限され、小型化に限界を有していた。【０００７】
また、永久磁石１０９の端部１０９ａ周辺では、ロータの回転トルクに寄与しない、ステータと鎖交せずロータ内で短絡する磁束１１０が形成されることも不効率な問題となっていた。【０００８】
さらに、矩形な断面形状の永久磁石１０９を内蔵するロータでは、その外周表面に発生する磁束分布が高調波を多く含む矩形波状となり、高調波鉄損が増大する問題もあった。【０００９】
これに対し、特許文献２に記載された図２２のようなロータ１１１も提案されている。【００１０】
このロータ１１１では、永久磁石１１３を保持した磁性板１１５の開口部１１７の端部コーナ及び磁極部１１５ｂに板厚を薄くした磁束制御部１１９ａ、１１９ｂを設けている。【００１１】
これにより、ロータ１１１表面の磁束分布を正弦波化し、トルク脈動を抑制することができる。【００１２】
しかし、磁束制御部１１９ａ、１１９ｂが、エッチングにより形成される場合は、強度の向上が無く、遠心強度の向上は期待できなかった。【００１３】
一方、開口部１１７の端部コーナの磁束制御部１１９ａを特許文献３のような部分で硬化形成することも考えられる。【００１４】
しかし、特許文献２の磁束制御部１１９ａの形状では高トルク密度化、高出力密度化さらには小型化に対しては適切ではなく、磁極部１１５ｂの幅を小さくすることによる小型化に対しても限界がある。
【先行技術文献】
【特許文献】
【００１５】
【特許文献１】特開２００３−３０４６７０号公報
【特許文献２】特開２０１２−１０５４１０号公報
【特許文献３】特開２００４−７９４３号公報
【発明の概要】
【発明が解決しようとする課題】
【００１６】
解決しようとする問題点は、高トルク密度化の為に磁極部の径方向幅を小さくすると回転時の永久磁石の遠心力により応力集中する開口部の端部コーナが塑性変形し易く、遠心強度が低下し、遠心力に耐え得る最大回転数が下がる結果、出力密度の向上が制限され、小型化に限界を有していた点、開口部の端部コーナ周辺では、ロータの回転トルクに寄与しない、無効な磁界が形成される点、矩形な断面形状の永久磁石を内蔵するロータでは、その外周表面に発生する磁束分布が高調波を多く含む矩形波状となり、鉄損が増大する点である。
【課題を解決するための手段】
【００１７】
本発明は、高トルク密度化、高出力密度化、小型化に貢献し、無効な磁界及び高調波を抑制することを可能とするため、本体部が周回形状に形成されて複数枚積層され前記本体部の外周縁の内側で周方向に沿って長尺に形成され周方向に所定間隔で前記本体部に複数配列した磁石保持用の開口部に前記本体部の周方向へ長尺でほぼ矩形の断面を有する永久磁石を保持させたモータのロータ・コアに用いる磁性板であって、前記本体部の外周縁と前記開口部との間の磁極部のロータ径方向幅を、前記永久磁石断面のロータ径方向幅（短辺長さ。以下永久磁石の径方向断面幅という）よりも小さく設定し、前記開口部の端部コーナに沿って鉤状をなし、径方向における最大幅が前記永久磁石の径方向断面幅よりも小さな幅となるように高硬度部が前記本体部に設けられ、前記高硬度部は、前記本体部の前記高硬度部以外の一般部に対して相対的な高硬度に設定されたことを特徴とする。
【発明の効果】
【００１８】
本発明の磁性板は、上記構成であるから、開口部の端部コーナに沿って鉤状をなす高硬度部から磁極部に至ってその幅を永久磁石の径方向断面幅よりも小さく設定することができ、磁極部の磁気抵抗を小さくすることができる。開口部の端部コーナに沿って鉤状をなす高硬度部により、開口部の遠心強度（塑性変形抵抗）を高め、開口部の端部コーナ周辺でのロータ回転トルクに寄与しない無効な磁束を抑制且つ有効化し、矩形な断面形状の永久磁石によってロータ外周表面に発生する磁束分布に含まれる高調波を抑制することができる。【００１９】
したがって、産業用モータ、電気自動車やハイブリッド車などで求められる、高トルク化、高出力化、小型化などに貢献することができる。
【図面の簡単な説明】
【００２０】
【図１】ロータの要部正面図である。（実施例１）
【図２】回転位置をずらしたロータの要部正面図である。（実施例１）
【図３】寸法関係を説明する要部正面図である。（実施例1）
【図４】ロータの要部正面図である。（実施例１）
【図５】ロータの要部正面図である。（実施例１）
【図６】ロータの要部正面図である。（実施例１）
【図７】ロータの要部正面図である。（実施例１）
【図８】ロータの要部正面図である。（実施例１）
【図９】ロータの要部正面図である。（実施例１）
【図１０】ロータの要部正面図である。（実施例１）
【図１１】ロータの要部正面図である。（比較例）
【図１２】ロータの要部正面図である。（比較例）
【図１３】降伏荷重上昇率及び回転誘起電圧上昇率を実施例の形状例と比較例の形状例とで比較したグラフである。
【図１４】圧縮率と磁石引張降伏荷重上昇率との関係を実施例の形状例と比較例の形状例とで比較したグラフである。
【図１５】圧縮率と回転誘起電圧上昇率との関係を実施例の形状例と比較例の形状例とで比較したグラフである。
【図１６】圧縮率と磁石引張降伏荷重上昇率との関係を実施例の形状例と比較例の形状例とで比較したグラフである。
【図１７】圧縮率と回転誘起電圧上昇率との関係を形状例と比較例とで比較したグラフである。
【図１８】潰し形状と高調波電圧係数低減率を示すグラフである。
【図１９】圧縮率と高調波電圧係数低減率を示すグラフである。
【図２０】ロータの斜視図である。（従来例）
【図２１】磁界形成の概念図である。（従来例）
【図２２】ロータの要部正面図である。（従来例）
【発明を実施するための形態】
【００２１】
高トルク化、高出力化、小型化に貢献し、無効な磁界及び高調波を抑制することを可能にするという目的を、本体部が周回形状に形成されて複数枚積層され外周縁の内側で周方向に沿って長尺に形成され周方向に所定間隔で複数配列した磁石保持用の開口部に前記本体部の周方向へ断面が長尺でほぼ矩形の永久磁石を保持させたモータのロータ・コアに用いる磁性板であって、前記本体部の外周縁と前記開口部との間の磁極部のロータ径方向幅を、前記永久磁石の径方向断面幅よりも小さく設定し、前記開口部の端部コーナに沿って鉤状をなし、径方向における最大幅が前記永久磁石の径方向断面幅よりも小さな幅となる
ように相対的に降伏応力が高い高硬度部を設定したことにより実現した。
【００２２】
前記高硬度部は、前記開口部の周方向端部で前記本体部の外周側に位置する周方向に沿った第１の縁及び第1の縁と連続する縁辺上であって前記永久磁石の周方向端縁側に位置する第２の縁と前記第１の縁に対応する前記本体部の外周縁側の第３の縁及び前記開口部相互間のブリッジ部の第４の縁又は前記開口部間とに渡る範囲に設定してもよい。
【００２３】
前記高硬度部は、前記本体部の周方向での範囲が前記永久磁石の端縁に沿って前記外周縁にまで至る境界までか該境界を超えて前記磁極部中央側に入り込んで設定してもよい。
【００２４】
前記高硬度部は、前記本体部の周方向での端縁が前記開口部側から前記本体部の外周縁に向かって前記磁極部中央側へ漸次入り込むように傾斜形成してもよい。
【００２５】
前記本体部の外周縁に、前記磁極部間へ漸次切り込まれるような形態の凹形状部を備え、前記高硬度部は、前記傾斜形成された端縁が前記凹形状部の漸次切り込まれるような形状の開始点で前記本体部の外周縁に至っていてもよい。
【００２６】
前記高硬度部は、前記永久磁石の端縁に沿った方向において前記開口部間内での長さが前記永久磁石の径方向断面幅の１／２以上に設定され、前記高硬度部は、前記本体部の周方向で前記開口部に沿った縁の部分で前記永久磁石とオーバーラップする長さが前記永久磁石断面のロータ周方向に沿い磁極部に接する長辺の長さ（以下、永久磁石の周方向断面長さという）の１／６以下から０に設定され、前記高硬度部は、前記本体部の一般部の硬度に対しビッカース硬度で１．３〜２．３倍に設定してもよい。
【００２７】
前記高硬度部は、前記本体部の一般部の板厚に対し圧縮率５〜２５％で圧縮加工してもよい。
【００２８】
前記高硬度部は、磁場４０００Ａ／ｍにおける磁束密度が前記本体部の一般部に対し０．４〜０．８倍としてもよい。
【００２９】
前記複数枚積層される本体部は、珪素鋼板で形成してもよい。
【００３０】
前記本体部の珪素鋼板は、組成（質量％）がＳｉ：２〜４、残部：鉄及び不可避不純物であってもよい。
【００３１】
前記高硬度部は、硬さが２５０〜３９０Ｈｖであってもよい。
【００３２】
前記本体部は、厚みが０．１〜０．５ｍｍであってもよい。
【００３３】
前記本体部は、複数の分割体を接合して環状に配置してもよい。
【００３４】
前記高硬度部は、前記本体部の周方向で前記開口部の両端部に形成されてもよい。
【実施例１】
【００３５】
［形状例１］
図１は、ロータの要部正面図（磁性板面に対して正面）、図２は、回転位置をずらしたロータの要部正面図、図３は、寸法関係を説明する要部正面図である。なお、図1は、後述する遠心強度の評価方法の説明にも用いるため、固定箇所のハッチング及び荷重方向の矢印が併せて記載されている。【００３６】
図１、図２のように、電動モータに用いるロータ１のロータ・コア３は、磁性板５を複数枚積層して形成されている。各磁性板５の本体部７は、高透磁率材料、例えば珪素鋼板が用いられ、周回状、例えば円盤状や円環形状に形成されている。この本体部７を構成する珪素鋼板は、組成（質量％）がＳｉ：２〜４、残部：鉄及び不可避不純物である。なお、磁性板５の材料としては、他の材料を使用することもできる。【００３７】
本体部７には、円形の外周縁９に周方向所定間隔で凹形状部１１が形成されている。凹形状部１１は、磁極部間へ漸次切り込まれるような形状に形成されている。各凹形状部１１の周方向間において、外周縁９の内側には、周方向に沿った磁石保持用の開口部である磁石スロット１３が形成されている。磁石スロット１３は、周方向である接線方向に沿って長尺に形成され周方向に所定間隔で複数配列されている。各磁石スロット１３に、永久磁石１５が接着剤によりそれぞれ保持されている。各磁石スロット１３にそれぞれ２個一組の永久磁石を保持させることもできる。【００３８】
永久磁石１５は、本体部７の周方向へその断面が長尺のほぼ矩形形状に形成され磁性板積層方向に延在し、磁石スロット１３に保持されることで本体部７の周方向に所定間隔で複数配列されている。【００３９】
磁石スロット１３は、永久磁石１５の領域の両側に接着剤領域１７を備え、接着剤領域１７がブリッジ部１９に隣接し、ブリッジ部１９は、磁石スロット１３と本体部７の外周縁９の凹形状部１１との間に位置している。各磁石スロット１３間で一対のブリッジ部１９は、本体部７の径方向で各磁石スロット１３間の内端部側が結合部１９ａとして一体になっている。【００４０】
本体部７の外周縁９と磁石スロット１３との間の磁極部２１の径方向幅は、永久磁石１５の径方向断面幅よりも小さく設定されている。この場合、磁極部２１の径方向幅及び永久磁石１５の径方向断面幅の比較は、磁極部２１の最大幅位置である磁極中心での寸法としている。本体部７には、ブリッジ部１９から磁極部２１に掛けて高硬度部２３が設けられている。高硬度部２３は、本体部７の周方向で磁石スロット１３の両端部に形成されている。【００４１】
高硬度部２３は、磁石スロット１３の端部コーナ１３ａに沿って鉤状をなし、径方向における最大幅が永久磁石１５の径方向断面幅よりも小さな幅となるように形成されている。本実施例では、高硬度部２３の全体に掛けて最大幅が永久磁石１５の径方向断面幅よりも小さな幅となるように形成されている。但し、高硬度部２３の径方向における最大幅のみ永久磁石１５の径方向断面幅よりも小さな幅となるように形成し、高硬度部２３の磁石スロット１３間での幅は、永久磁石１５の径方向断面幅より大きく形成することもできる。【００４２】
高硬度部２３は、圧縮加工により本体部７の高硬度部２３以外の一般部に対して相対的な高硬度に設定されたものである。高硬度部２３は、本体部７の一般部の板厚が例えば０．１〜０．５ｍｍであるのに対し圧縮率５〜２５％で圧縮加工されたものである。高硬度部２３は、本体部７の一般部の硬度に対しビッカース硬度で１．３〜２．３倍に設定されている。具体的には、高硬度部２３の硬さは、２５０〜３９０Ｈｖである。【００４３】
かかる設定により高硬度部２３は、磁場４０００Ａ／ｍにおける磁束密度が本体部７の一般部に対し０．４〜０．８倍とっている。【００４４】
図２のように、高硬度部２３は、第１の縁２５及び第２の縁２７と第３の縁２９及び第４の縁３１とに渡る範囲に設定されている。【００４５】
第１の縁２５は、磁石スロット１３の周方向端部で本体部７の外周側に位置する周方向に沿った部分である。第２の縁２７は、第1の縁２５と連続する縁辺上であって永久磁石１５の周方向端縁１５ａ側に位置するブリッジ部１９の部分である。第３の縁２９は、第１の縁２５に対応する本体部７の外周縁９側の部分である。第４の縁３１は、磁石スロット１３相互間のブリッジ部１９の外側の部分である。【００４６】
つまり、本実施例では、高硬度部２３の形成範囲において、磁極部２１からブリッジ部１９に掛けてその幅全体に渡っている。【００４７】
但し、高硬度部２３の形成範囲は、磁極部２１からブリッジ部１９に掛けてその幅方向では部分的に形成することもでき、磁極部２１又はブリッジ部１９の一方のみ幅方向で部分的に形成し、他方では、幅方向の全体に形成することもできる。さらに磁極部２１、ブリッジ部１９の幅方向で部分的に形成する場合は、幅方向の中間部にのみ高硬度の芯部のように形成することもできる。【００４８】
高硬度部２３は、本体部７の周方向での範囲が永久磁石１５の端縁１５ａに沿って外周縁９側にまで至る境界３３（図３）を超えて磁極部２１中央側に入り込んで設定されている。この場合外周縁９側とは、凹形状部１１の第３の縁２９であり、後述するように、外周縁９よりも本体部７の径方向内方側（例えばロータ外径線に対し径方向内側）に位置する。【００４９】
高硬度部２３は、本体部７の周方向での端縁２３ａ（図２）が磁石スロット１３側から本体部７の外周縁９に向かって磁極部２１中央側へ漸次入り込むように傾斜形成されている。高硬度部２３の傾斜形成された端縁２３ａは、凹形状部１１の開始点１１ａで本体部７の外周縁９に至っている。即ち開始点１１ａは、凹形状部１１が円形の外周縁９（例えばロータ外径線）から内径側へ漸次外れて切り込まれるような形状が開始される外周縁９での点である。【００５０】
高硬度部２３は、本体部７の径方向での端縁２３ｂが結合部１９ａとの境界に位置し、各端縁２３ｂが傾斜して向き会い、本体部７の径方向内方側へ漸次間隔が拡がるように設定されている。【００５１】
図３において、高硬度部２３は、永久磁石１５の端縁１５ａに沿った方向における磁石スロット１３間内での長さをＬ１とし、本体部７の周方向に沿った側の磁石スロット１３縁の部分で永久磁石１５とオーバーラップする長さをＬ２とする。Ｌ１の一方の端は、永久磁石１５の磁極部２１側の縁に一致し、他方の端は、端縁１５ａに沿った方向における端縁２３ｂの先端となる。【００５２】
Ｌ１が永久磁石１５の径方向断面幅の１／２以上に設定され、Ｌ２が永久磁石１５の周方向断面長さの１／６以下に設定されている。【００５３】
［形状例２］
図４は、図２、図３に相当するロータの要部正面図である。なお、形状例１と同一構成部分には同符号を付し、対応する構成部分には、同符号にＡを付し、重複した説明は省略する。【００５４】
本実施例１の形状例２に係る磁性板５Ａでは、本体部７Ａの周方向での高硬度部２３Ａの範囲が、永久磁石１５の端縁１５ａに沿って外周縁９Ａにまで直線的に至る境界３３Ａまでとされ、高硬度部２３Ａの本体部７Ａの周方向での端縁２３Ａａは、境界３３Ａに位置する。この形状例２では、端縁２３Ａａ及び凹形状部１１Ａの開始点１１Ａａが境界３３Ａ上に位置する。Ｌ２＝０である。
【００５５】
その他は、形状例１と同様である。【００５６】
［形状例３］
図５は、図２、図３に相当するロータの要部正面図である。なお、形状例１と同一構成部分には同符号を付し、対応する構成部分には、同符号にＢを付し、重複した説明は省略する。【００５７】
本実施例１の形状例３に係る磁性板５Ｂでは、本体部７Ｂの周方向での高硬度部２３Ｂの範囲が、永久磁石１５の端縁１５ａに沿って外周縁９Ｂにまで至る境界３３Ｂを超えて磁極部２１中央側に入り込んで設定されている。本体部７の周方向での高硬度部２３Ｂの端縁２３Ｂａは、境界３３Ｂと平行に設定されている。【００５８】
その他は、形状例１と同様である。【００５９】
［形状例４］
図６は、図２、図３に相当するロータの要部正面図である。なお、形状例１と同一構成部分には同符号を付し、対応する構成部分には、同符号にＣを付し、重複した説明は省略する。【００６０】
本実施例１の形状例４に係る磁性板５Ｃでは、形状例３に対し、本体部７Ｃの径方向内方側での高硬度部２３Ｃの端縁２３Ｃｂの設定を変更した。端縁２３Ｃｂは、本体部７Ｃの径方向で結合部１９ａから離れて位置し、各端縁２３Ｃｂが永久磁石１５の端縁１５ａに対してほぼ平行であり、相互に対向するように設定されている。【００６１】
その他は、形状例１と同様である。【００６２】
［形状例５］
図７は、図２、図３に相当するロータの要部正面図である。なお、形状例１と同一構成部分には同符号を付し、対応する構成部分には、同符号にＤを付し、重複した説明は省略する。【００６３】
本実施例１の形状例５に係る磁性板５Ｄでは、形状例３に対し、高硬度部２３Ｄは、共通し、永久磁石１５Ｄに面取り部１５Ｄｂがある場合の例である。【００６４】
その他は、形状例１と同様である。【００６５】
［形状例６］
図８は、図２、図３に相当するロータの要部正面図である。なお、形状例１と同一構成部分には同符号を付し、対応する構成部分には、同符号にＥを付し、重複した説明は省略する。【００６６】
本実施例１の形状例６に係る磁性板５Ｅでは、形状例３に対して、接着剤領域１７Ｅを永久磁石１５の端部１５ｃを囲むように拡大形成した。【００６７】
その他は、形状例１と同様である。【００６８】
［形状例７］
図９は、図２、図３に相当するロータの要部正面図である。なお、形状例１と同一構成部分には同符号を付し、対応する構成部分には、同符号にＦを付し、重複した説明は省略する。【００６９】
本実施例１の形状例７に係る磁性板５Ｆでは、高硬度部２３Ｆは、第１の縁２５Ｆ及び第２の縁２７Ｆと第３の縁２９Ｆ及び第４の縁３１Ｆとに渡る範囲に設定されている。【００７０】
第１の縁２５Ｆは、磁石スロット１３Ｆの周方向端部で周方向に沿った部分である。第２の縁２７Ｆは、第１の縁２５Ｆと同じ縁辺上のブリッジ部１９Ｆの部分である。第３の縁２９Ｆは、第１の縁２５Ｆに対応する本体部７Ｆの外周縁９Ｆ側の部分である。第４の縁３１Ｆは、磁石スロット１３Ｆ相互間のブリッジ部１９Ｆの外側の部分である。【００７１】
第３の縁２９Ｆは、形状例１のように凹形状部の縁ではなく、外周縁９Ｆ（ロータ外径線上）の一部である。【００７２】
磁性板５Ｆでは、磁石スロット１３Ｆに接着剤領域が設けられず、永久磁石１５Ｆの断面形状が磁石スロット１３Ｆに合わせて形成されている。この磁石スロット１３Ｆに永久磁石１５Ｆが嵌合保持されているため、高硬度部２３Ｆは、永久磁石１５Ｆの端部１５Ｆｃに沿って第１の縁２５Ｆ及び第２の縁２７Ｆが直角となる鉤状に設定される。【００７３】
高硬度部２３Ｆの周方向での端縁２３Ｆａは、形状例３と同様の設定であるが、径方向での端縁２３Ｆｂは、結合部１９Ｆａに入り込むように設定されている。端縁２３Ｆｂは、永久磁石１５Ｆ断面の長辺と同様に本体部７Ｆの周方向に沿っている。【００７４】
その他は、形状例１と同様である。【００７５】
［形状例８］
図１０は、図２、図３に相当するロータの要部正面図である。なお、形状例１と同一構成部分には同符号を付し、対応する構成部分には、同符号にＧを付し、重複した説明は省略する。【００７６】
本実施例１の形状例８に係る磁性板５Ｇでは、本体部７Ｇに凹形状部が形成されず、高硬度部２３Ｇは、磁石スロット１３Ｇの周方向端部で周方向に沿った第１の縁２５Ｇ及びこれと同じ縁辺上のブリッジ部１９Ｇの部分である第２の縁２７Ｇと第１の縁２５Ｇに対応する本体部７Ｇの外周縁９Ｇ側の第３の縁２９Ｇ及び磁石スロット１３Ｇ相互間とに渡る範囲に設定され、Ｔ型となっている。第３の縁２９Ｇは、磁石スロット１３Ｇ相互間で連続している。【００７７】
なお、ブリッジ部１９Ｇは、Ｔ字の中央全体をいうのではなく、一対の高硬度部２３Ｇの各ブリッジ部１９Ｇが一体となり、Ｔ字の中央を構成するものでる、したがって、ブリッジ部１９Ｇの周方向での幅は、Ｔ字部の周方向幅の１／２となる。【００７８】
［比較例１］
図１１は、比較例１に係り、図２、図３に相当するロータの要部正面図である。なお、形状例３と基本的には同一構造であり、代表的な符号のみを形状例３と同一に付す。【００７９】
比較例１では、形状例３と比較して、本体部７Ｂの周方向で磁石スロット１３に沿った縁の長さＬ２が永久磁石１５の周方向断面長さの１／６を上回って設定されている。【００８０】
その他は、形状例３と同一である。【００８１】
［比較例２］
図１２は、比較例２に係り、図２、図３に相当するロータの要部正面図である。なお、形状例３と基本的には同一構造であり、代表的な符号のみを形状例３と同一に付す。【００８２】
比較例２では、形状例３と比較して、永久磁石１５の端縁１５ａに沿った方向及び磁石スロット１３間での長さＬ１が永久磁石１５の径方向断面幅の１／２を下回り、例えば、Ｌ１＝０に設定されている。【００８３】
その他は、形状例３と同一である。【００８４】
［高硬度部の長さの根拠］
（０≦Ｌ２≦１／６）
図１３は、遠心強度の代替指標とした磁石引張降伏荷重の上昇率及び有効磁束量の代替指標とした、ロータをステータとは別系統の動力で回転させ、電力を供給しないステータに誘起される電圧（以下、回転誘起電圧という）の上昇率を実施例の形状例と比較例の形状例とで比較したグラフ、図１４は、高硬度部を加工する際の圧縮率と磁石引張降伏荷重上昇率との関係を実施例の形状例と比較例の形状例とで比較したグラフ、図１５は、同圧縮率と回転誘起電圧上昇率との関係を実施例の形状例と比較例の形状例とで比較したグラフである。【００８５】
遠心強度の評価は、図１のように行った。遠心強度向上効果は、図１の磁石スロット１３より内径側のヨーク部７ａを斜線の範囲で固定し、永久磁石１５を模擬した治具を開口部に挿入する。【００８６】
治具を外径方向へ矢印のように変位させたときの変位荷重の関係を線図化し、その線図の比例限度を降伏荷重と定義して、その大きさを遠心強度評価の代替とした。【００８７】
モータの発生トルクに起因する有効磁束量は、代替指標となる回転誘起電圧の大きさで評価した。【００８８】
図１３では、横軸を形状例（１）〜（４）とし、縦軸を磁石引張降伏荷重上昇率％及び回転誘起電圧上昇率％とした。形状例は、（１）：実施例１の形状例２、（２）：実施例１の形状例３、（３）：実施例１の形状例１、（４）：比較例１の形状例を選定した。高硬度部２３の圧縮率は１４％とした。【００８９】
高硬度にするには該当箇所を圧縮させるが、そのためには圧縮荷重を要する。高硬度部の面積は（１）＜（２）＜（３）＜（４）となっており、圧縮率が同じであれば、面積が大きい程、圧縮荷重が大きい。磁石引張降伏荷重、回転誘起電圧共に（３）で上昇率が最大となり、それより面積が大きいと上昇率が下がり加工エネルギ的に非効率（高コスト）になる。【００９０】
つまり、矢印Iのように境界を設定すると、（４）の比較例１が排除され、加工エネルギ的に見て上記０≦Ｌ２≦１／６の設定となる。【００９１】
図１４は、横軸を圧縮率、縦軸を磁石引張降伏荷重上昇率％とした。選定した形状例は、図１３と同一である。【００９２】
図１４の矢印Ｉのように、圧縮率５%より市場要求である上昇率２０%以上を満たす。永久磁石１５を保持するブリッジ部は漏れ磁束を低減するために可能な限り細くするために、その強度を矢印IIのように最低２０%程度上昇させたい市場要求がある。矢印IIIの圧縮率２５%以上では降伏荷重の上昇率が圧縮率５%より低く、圧縮加工エネルギ(製造コスト)的に非効率であることから圧縮率の上限を上記のように２５%とした。【００９３】
図１５は、横軸を圧縮率、縦軸を回転誘起電圧上昇率％とした。選定した形状例は、図１３と同一である。【００９４】
（４）の比較例１は、矢印Iの圧縮率５%以上で磁石引張降伏荷重の要求を満たすが、回転誘起電圧上昇率が要求の１%（矢印II）未満であり許容範囲外となる。漏れ磁束の低減によって有効磁束量の代替指標である回転誘起電圧が１%以上上昇しないと有効な性能と
認められない。【００９５】
（１）〜（３）の実施例の形状例２、３、１は、何れも許容範囲となった。【００９６】
つまり、（４）の比較例１が排除され、性能的に見て上記０≦Ｌ２≦１／６の設定となる。【００９７】
（Ｌ１≧１／２）
図１６は、圧縮率と磁石引張降伏荷重上昇率との関係を実施例の形状例と比較例の形状例とで比較したグラフ、図１７は、圧縮率と回転誘起電圧上昇率との関係を形状例と比較例とで比較したグラフである。【００９８】
図１６では、横軸を圧縮率、縦軸を磁石引張降伏荷重上昇率％とした。形状例は、（５）：比較例２の形状例、（６）：実施例１の形状例４、（２）：実施例１の形状例３を選定した。【００９９】
圧縮率５〜２５%において、比較例２の高硬度部２３Ｂの降伏荷重上昇率は２０%に至っていないのに対し、実施例１の形状例４、形状例３では上昇率２０%以上となった。【０１００】
図１７では、横軸を圧縮率、縦軸を回転誘起電圧上昇率％とした。形状例の選定は、図１６と同一である。【０１０１】
圧縮率５%において、比較例２の高硬度部２３Ｂの誘起電圧上昇率は１%に至っていないのに対し、実施例１の形状例４、形状例３では圧縮率５〜２５%において上昇率１%以上となった。【０１０２】
つまり、降伏荷重上昇率及び誘起電圧上昇率の点において比較例２が排除され、性能的に見て上記Ｌ１≧１／２の設定となる。【０１０３】
［高調波の抑制］
回転誘起電圧には高調波が含まれているが、その含有率を表す指標として、高調波電圧係数（以下、HVFという）を導入して評価した。HVFは式１の通りである。
0005855792.tif 000002
【０１０４】
ここで、
0005855792.tif 000003
【０１０５】
図１８では、横軸を形状例（１）〜（４）とし、縦軸をHVF低減率％とした。形状例は、前記同様に（１）：実施例１の形状例２、（２）：実施例１の形状例３、（３）：実施例１の形状例１、（４）：比較例１の形状例を選定し、高硬度部２３の圧縮率は１４％とした。高硬度にするには該当箇所を圧縮させるが、そのためには圧縮荷重を要する。高硬度部の面積は（１）＜（２）＜（３）＜（４）となっており、圧縮率が同じであれば、面積が大きい程、圧縮荷重が大きい。高調波電圧係数は面積が大きい程低減している。【０１０６】
図１９は、横軸を圧縮率、縦軸をHVF低減率％とした。選定した形状例は、前図と同一である。同形状において、前記した高硬度部の圧縮率範囲５〜２５％であれば、高調波電圧係数は高硬度部が無いものに対して低減している。【０１０７】
また、前記永久磁石１５の起磁力は径方向に発生するため、前記磁極部２１側の高硬度部の範囲によってHVFは変化するが、前記ブリッジ部１９側の高硬度部の範囲においてHVFに与える影響は軽微であり、ブリッジ部１９側の高硬度部は本発明の範囲で十分である。したがって、形状例１〜８について永久磁石１５によってロータ外周表面に発生する磁束分布に含まれる高調波を低減し、鉄損を抑制することができる。【０１０８】
［漏れ磁束の抑制］
形状例１について、図１のように、永久磁石１５断面長辺の外周側をＮ極、内周側をＳ極とする永久磁石１５等を埋設した場合、ブリッジ部１９等から磁極部２１側へ高硬度部２３等が形成されると、この部分での磁気特性の低下を図ることができる。このため、磁束は主に永久磁石１５断面長辺の垂直方向即ち磁極部におけるロータ径方向に多く発生し、ブリッジ部１９側における無効な磁束を少なくし、ロータ回転に有効となる磁束をより多くすることができる。【０１０９】
他の形状例２〜８についても同様である。【０１１０】
［製造方法］
形状例１について、本体部７に対する高硬度部２３の形成は、本体部７の輪郭を板材から形成する前に高硬度部２３となる予定箇所を圧縮加工して予め形成する。【０１１１】
なお、本体部７の輪郭を形成した後に高硬度部２３を形成することもできる。【０１１２】
他の形状例２〜８についても同様である。【０１１３】
［分割コア］
本体部７は、複数の分割体を接合して環状に配置形成するものにも適用することができる。【０１１４】
［実施例１の効果］
本発明の実施例１では、本体部７が周回形状に形成されて複数枚積層され外周縁９の内側で周方向に沿って長尺に形成され周方向に所定間隔で複数配列した磁石保持用の磁石スロット１３に本体部７の周方向へ断面が長尺でほぼ矩形の永久磁石を保持させたモータのロータ・コアに用いる磁性板５であって、本体部７の外周縁９と磁石スロット１３との間の磁極部２１の径方向幅を、永久磁石１５の径方向断面幅よりも小さく設定し、磁石スロット１３の端部コーナに沿って鉤状をなし永久磁石１５の径方向断面幅よりも小さな幅で一般部に対する相対的な高硬度部２３を設定した。【０１１５】
このため、磁極部２１の幅を永久磁石１５の径方向断面幅よりも小さく設定して、磁極部２１の磁気抵抗を小さくし、ロータ回転に有効となる磁束をより多くすることができる。【０１１６】
他の磁性板５Ａ〜５Ｇも同様である。【０１１７】
磁石スロット１３の端部コーナ周辺のブリッジ部１９でのロータ回転トルクに寄与しない無効な磁束を抑制し有効化することができる。しかも、高硬度部２３の幅は、永久磁石１５の径方向断面幅よりも幅が小さく、無効な磁束をより確実に抑制し有効化することができる。【０１１８】
他の磁性板５Ａ〜５Ｇも同様である。
［その他］
なお、磁石スロットは厳密な矩形に限定されるものではなく、例えばロータと同心円上の多少円弧状のものでもよく、また磁石スロットの配置や数も電動モータの用途に応じて適宜選択することになる。
【符号の説明】
【０１１９】
１，１Ａ，１Ｂ，１Ｃ，１Ｄ，１Ｅ，１Ｆ，１Ｇ  ロータ
３，３Ａ，３Ｂ，３Ｃ，３Ｄ，３Ｅ，３Ｆ，３Ｇ  ロータ・コア
５，５Ａ，５Ｂ，５Ｃ，５Ｄ，５Ｅ，５Ｆ，５Ｇ  磁性板
７，７Ａ，７Ｂ，７Ｃ，７Ｄ，７Ｅ，７Ｆ，７Ｇ  本体部
９，９Ａ，９Ｂ，９Ｃ，９Ｄ，９Ｅ，９Ｆ，９Ｇ  外周縁
１１，１１Ａ，１１Ｂ，１１Ｃ，１１Ｄ，１１Ｅ，１１Ｆ  凹形状部
１３，１３Ｅ，１３Ｆ，１３Ｇ  磁石スロット（開口部）
１５，１５Ｄ，１５Ｆ，１５Ｇ  永久磁石
１５ａ，１５Ｄａ，１５Ｆａ，１５Ｇａ  端縁
１９，１９Ｆ，１９Ｇ  ブリッジ部
２１，２１Ａ，２１Ｂ，２１Ｂ，２１Ｃ，２１Ｄ，２１Ｅ，２１Ｆ，２１Ｇ  磁極部
２３，２３Ａ，２３Ｂ，２３Ｃ，２３Ｄ，２３Ｅ，２３Ｆ，２３Ｇ  高硬度部
２３ａ，２３Ａａ，２３Ｂａ，２３Ｃａ，２３Ｄａ，２３Ｅａ，２３Ｆａ，２３Ｇａ  端縁
２３ｂ，２３Ａｂ，２３Ｂｂ，２３Ｃｂ，２３Ｄｂ，２３Ｅｂ，２３Ｆｂ，２３Ｇｂ  端縁
２５，２５Ｅ，２５Ｆ，２５Ｇ  第１の縁
２７，２７Ｅ，２７Ｆ，２７Ｇ  第２の縁
２９，２９Ｆ，２９Ｇ  第３の縁
３１，３１Ｆ，３１Ｇ  第４の縁
３３，３３Ａ，３３Ｂ  境界
【図１】
0005855792.tif 000004
【図２】
0005855792.tif 000005
【図３】
0005855792.tif 000006
【図４】
0005855792.tif 000007
【図５】
0005855792.tif 000008
【図６】
0005855792.tif 000009
【図７】
0005855792.tif 000010
【図８】
0005855792.tif 000011
【図９】
0005855792.tif 000012
【図１０】
0005855792.tif 000013
【図１１】
0005855792.tif 000014
【図１２】
0005855792.tif 000015
【図１３】
0005855792.tif 000016
【図１４】
0005855792.tif 000017
【図１５】
0005855792.tif 000018
【図１６】
0005855792.tif 000019
【図１７】
0005855792.tif 000020
【図１８】
0005855792.tif 000021
【図１９】
0005855792.tif 000022
【図２０】
0005855792.tif 000023
【図２１】
0005855792.tif 000024
【図２２】
0005855792.tif 000025